(57)【要約】【課題】コイルの線径が大きく、又コイルの剛性が大きい場合でも巻線の乱れをなくし、円滑に巻線を行うことのできる巻線構造を提供する。【解決手段】コイルボビン２に巻き始め用のコイル挿入溝４ａ、巻き終わり用のコイル挿入溝４ｂ及び中央凸部２ａを設け、凸部２ａには円弧状の角部５ａ、５ｂを形成するとともに、コイル３の巻き始め側の角部５ａにおける円弧の曲率半径Ｒａがコイル３の巻き終わり側の角部５ｂにおける円弧の曲率半径Ｒｂよりも大きくなるように形成する。【選択図】図９
2007330059.tif 000002
【特許請求の範囲】
【請求項１】
コアに取り付けられたコイルボビンにコイルを巻回させるとともに、上記コアを複数個帯状に連結させた連結ステータを有する回転電機において、上記コイルボビンに巻き始め用のコイル挿入溝、巻き終わり用のコイル挿入溝及び中央凸部を設け、上記凸部の角部を円弧状に形成するとともに、上記コイルの巻き始め側の上記角部における円弧の曲率半径が上記コイルの巻き終わり側の上記角部における円弧の曲率半径よりも大きくなるように形成したことを特徴とする回転電機。
【請求項２】
上記コイルの巻き始め側の上記角部における円弧の曲率半径が上記コイルの半径よりも大きくなるように形成したことを特徴とする請求項１記載の回転電機。
【発明の詳細な説明】
【技術分野】
【０００１】
この発明は、連結ステータが用いられる回転電機に関するものであり、特に、連結ステータコアにおける巻線構造に関するものである。
【背景技術】
【０００２】
従来の回転電機のステータコアにおける巻線構造として、コイルボビンに巻き始め用のコイル挿入溝、巻き終わり用のコイル挿入溝及び中央凸部を設け、巻き終わり用のコイル挿入溝側に対応するコア側面に沿って巻き始めるとともに、巻き始め用のコイル挿入溝に対応するコア側面に沿って巻かれてきたコイルの巻き終わりを、凸部に巻かれるようにして巻き終わり用のコイル挿入溝に入り込み固定したものがあった（特許文献１参照）。
【０００３】
【特許文献１】特許第３４９８１２９号
【発明の開示】
【発明が解決しようとする課題】
【０００４】
従来の固定子のコイル巻線構造は以上のように構成されており、コイルの巻始めと巻終わりを巻回させるための中央凸部の２つの角部が同じ円弧形状となっている。そしてコイルの線径に比べて角部の円弧の曲率半径が小さい場合、コイルの剛性が大きいため、コイルが中央凸部の角部に沿って円滑に巻回できなくなり、コイルが内径側にふくらみ、巻線が乱れてしまうことがあった。
【０００５】
この不具合を改善するためには、２つの角部の円弧形状の曲率を大きくすればよいが、中央凸部の周方向における長さの制約がある以上、円弧形状の曲率の大きさにも制約がある。そして２つの角部の円弧形状における曲率をともに大きくすると、凸部の強度が低下してしまい、巻線時に発生するコイルの張力により中央凸部が破損してしまうのである。
【０００６】
この発明は、上記のような問題点を解決するためになされたものであり、コイルの線径が大きく、コイルの剛性が大きい場合でも巻線の乱れをなくし、円滑に巻線を行うことのできる巻線構造を提供することを目的とする。
【課題を解決するための手段】
【０００７】
この発明に係る回転電機は、コアに取り付けられたコイルボビンにコイルを巻回させるとともに、コアを複数個帯状に連結させた連結ステータを有するものであって、コイルボビンに巻き始め用のコイル挿入溝、巻き終わり用のコイル挿入溝及び中央凸部を設け、凸部の角部を円弧状に形成するとともに、コイルの巻き始め側の角部における円弧の曲率半径がコイルの巻き終わり側の角部における円弧の曲率半径よりも大きくなるように形成したものである。
【発明の効果】
【０００８】
この発明に係る回転電機によれば、コアに取り付けられたコイルボビンにコイルを巻回させるとともに、コアを複数個帯状に連結させた連結ステータを有するものであって、コイルボビンに巻き始め用のコイル挿入溝、巻き終わり用のコイル挿入溝及び中央凸部を設け、凸部の角部を円弧状に形成するとともに、コイルの巻き始め側の角部における円弧の曲率半径がコイルの巻き終わり側の角部における円弧の曲率半径よりも大きくなるように形成したので、コイルの線径が大きく、コイルの剛性が大きい場合でも巻線の乱れをなくし、円滑に巻線を行うことができる。
【発明を実施するための最良の形態】
【０００９】
実施の形態１．
図１は連結ステータが用いられる一般的な回転電機を示す側面断面図であり、図において、フレーム１３内部にはステータ１１が固定されるとともに、ステータ１１内部には空隙を介してロータ１２が設けられている。又ロータ１２にはシャフト１６が一体的に構成されるとともに、シャフト１６はベアリング１７を介してブラケット１４に軸支されている。又ターミナル１５はステータ１１に電流を供給するものである。
【００１０】
図２は従来からあるステータ２を構成する連結ステータを示す正面図、図３は同じく平面図、図４は同じく側面図、図５はコアを取り外し、ボビンのみ取り出した状態を示す正面図である。
【００１１】
図において、コア１にはコイルボビン２が取付けられ、コイル３はコイルボビン２の周りに巻回される。又コイルボビン２には巻き始め用のコイル挿入溝４ａ、巻き終わり用のコイル挿入溝４ｂが設けられるとともに、コイルボビン２の中央には凸部２ａが設けられている。
【００１２】
コイル３の巻き始めを、コイルボビン２に設けられたコイル挿入溝４ａに挿入し、コア１へのコイル３の巻付けを始め、そしてコア１の側面１Ａ、１Ｂに沿って巻かれてきたコイル３を、コイル挿入溝４ｂに挿入して巻き終わりとする。
【００１３】
図６は連結ステータコアにコイル３を巻いている状態を示す平面図、図７は連結ステータを丸めている状態を示す平面図、図８は連結ステータを完全に丸めることにより、ステータ１１を形成した状態を示す平面図である。
【００１４】
連結ステータは、コイル巻線の巻線密度向上のため、図６に示すように連結ステータコアを帯状にした状態にてコイル３を巻線し、その後、図７に示すように連結ステータを丸め、最終的に図８に示すような円筒形状にし、その中にロータ１２を挿入する。
【００１５】
次に本発明の特徴的部分を図に基づいて説明する。図９〜図１１はこの発明の実施の形態１によるステータ１個を示す平面図であり、図９はコイル３が巻かれていない状態を示す平面図、図１０はコイル３の巻き始めの状態を示す平面図、図１１はコイル３の巻線を完了した状態を示す平面図である。
【００１６】
又凸部２ａには、コイル３の巻始め側の円弧状の角部５ａと、巻き終わり側の円弧状の角部５ｂが設けられており、角部５ａにおける円弧の曲率半径をＲａ、角部５ｂにおける円弧の曲率半径をＲｂ、コイル３の半径をＲｃとすると、Ｒａ＞ＲｃかつＲａ＞Ｒｂとなるように構成するものである。尚ＲｂとＲｃの関係については、Ｒｂ＞Ｒｃとなるように構成することが望ましい。
【００１７】
図１０に示すように、コイル３を巻き始める際には、コイルボビン２に設けられた巻始め用のコイル挿入溝４ａを通り、凸部２ａに設けられた角部５ａに沿って巻回されて、コイルボビン２の側面６ｂ側から巻線される。次に図１１に示すように巻終わる際には、コイルボビン２の側面６ａから凸部２ａに設けられた角部５ｂに沿って巻回されて、巻終わり用のコイル挿入溝４ｂを通り、巻線作業が完了する。
【００１８】
以上のように構成されたステータにおいては、巻始め側の角部５ａの円弧の半径Ｒａが、コイル３の半径Ｒｃより充分大きいため、巻始めのコイル３が凸部２ａから離れて膨らまないようにコイル３が角部５ａに密着しながら沿うよう巻線することが可能となり、巻線の乱れを防止することができる。
【００１９】
また、巻始め側の角部５ａの円弧の半径Ｒａが、巻終わり側の角部５ｂの円弧の半径Ｒｂより大きいので、凸部２ａの周方向における長さが短くても円弧状の角部を作成することができ、コイル３の半径に対応した適切な巻き始め用の円弧形状を形成することができる。更には凸部２ａの強度も充分確保することができるものである。
【図面の簡単な説明】
【００２０】
【図１】回転電機を示す側面断面図である。
【図２】回転電機の連結ステータを示す正面図である。
【図３】回転電機の連結ステータを示す平面図である。
【図４】回転電機の連結ステータを示す側面図である。
【図５】ボビン部を示す正面図である。
【図６】連結ステータコアにコイルを巻いている状態を示す平面図である。
【図７】連結ステータを丸めている状態を示す平面図である。
【図８】ステータを完成した状態を示す平面図である。
【図９】この発明の実施の形態１によるステータ１個を示す平面図である。
【図１０】この発明の実施の形態１によるステータ１個を示す平面図である。
【図１１】この発明の実施の形態１によるステータ１個を示す平面図である。
【符号の説明】
【００２１】
１  コア、２  ボビン、２ａ  凸部、３  コイル、４ａ，４ｂ  コイル挿入溝、
５ａ，５ｂ  角部。
【図１】
2007330059.tif 000003
【図２】
2007330059.tif 000004
【図３】
2007330059.tif 000005
【図４】
2007330059.tif 000006
【図５】
2007330059.tif 000007
【図６】
2007330059.tif 000008
【図７】
2007330059.tif 000009
【図８】
2007330059.tif 000010
【図９】
2007330059.tif 000011
【図１０】
2007330059.tif 000012
【図１１】
2007330059.tif 000013